(57)【要約】      （修正有）【課題】  小型化及び低コスト化を図ることができる電子機器を提供する。【解決手段】  第１の表示素子２１と、第１の表示素子の厚みよりも薄い第２の表示素子２２と、第１の表示素子および第２の表示素子のうち少なくとも一方の表示素子に隣接する領域に配置され、特定の情報を入力するための情報入力手段１０１と、第１の表示素子の配置領域以外の領域に配置され、第２の表示素子および情報入力手段が実装された基板１０２とを有する。【選択図】  図６（Ａ）
2005065030.tif 000002
【特許請求の範囲】
【請求項１】
第１の表示素子と、
該第１の表示素子の厚みよりも薄い第２の表示素子と、
前記第１の表示素子および前記第２の表示素子のうち少なくとも一方の表示素子に隣接する領域に配置され、特定の情報を入力するための情報入力手段と、
前記第１の表示素子の配置領域以外の領域に配置され、前記第２の表示素子および前記情報入力手段が実装された基板とを有することを特徴とする電子機器。
【請求項２】
前記第１の表示素子および前記第２の表示素子が、互いに隣接する領域に配置されていることを特徴とする請求項１に記載の電子機器。
【請求項３】
前記第２の表示素子の厚みおよび前記基板の厚みの和が前記第１の表示素子の厚み以下であることを特徴とする請求項１又は２に記載の電子機器。
【請求項４】
前記基板が、硬質基板であることを特徴とする請求項１に記載の電子機器。
【請求項５】
前記第１の表示素子および前記第２の表示素子は、これらの表示面が同一面内に位置するように配置されていることを特徴とする請求項１から３のいずれかに記載の電子機器。
【請求項６】
前記第１の表示素子が機器本体の一方の外装面に沿って配置され、前記第２の表示素子が前記一方の外装面に対して対向する他方の外装面に沿って配置されていることを特徴とする請求項１から３のいずれかに記載の電子機器。
【発明の詳細な説明】
【技術分野】
【０００１】
本発明は、所定の情報等を表示する表示素子を有する電子機器に関するものである。
【背景技術】
【０００２】
撮像素子を用いて撮像を行う撮像装置の多くは、撮像装置の各種設定情報を表示する表示ユニットと、撮像によって得られた画像を表示する表示ユニットとを備えている。通常これらの表示ユニットは、撮像装置の操作性の利便上及び撮像装置の構造の制約上、撮像装置本体の上面又は背面に配置されている。また、これらの表示ユニットの近傍には、表示ユニットに表示される情報を変更するための操作スイッチが設けられている（例えば、特許文献１参照）。
【０００３】
一方、各種設定情報を表示する表示ユニット及び撮像によって得られた画像を表示する表示ユニットを撮像装置本体の背面に設け、この近傍に表示ユニットに表示される情報を変更するための操作スイッチを備えた撮像装置においては、これらの各電気部品が複数のフレキシブルプリント基板（ＦＰＣ）のそれぞれに実装され、これらのＦＰＣが撮像装置の制御用主基板上における複数の箇所で電気的に接続された実装構造を採るものが多い。
【特許文献１】特開２００３−８７６０８（段落番号００２６、００２７、００３２、第１図）
【発明の開示】
【発明が解決しようとする課題】
【０００４】
しかし、上述したような実装構造では、主基板上において複数のＦＰＣとの電気的接続箇所を多数設ける必要があり、接続用端子電極の増加による主基板の面積の増大と、接続部材の増大によって撮像装置の小型化を妨げている。また、主基板の面積の増大と、主基板および複数のＦＰＣの接続箇所が多くなると、撮像装置のコストアップの要因ともなる。
【０００５】
本発明はかかる問題点に鑑みてなされたものであり、小型化および低コスト化が図れ、操作性に優れた電子機器を提供することことを目的とする。また、基板の実装効率の高い電子機器を提供することを目的とする。
【課題を解決するための手段】
【０００６】
本発明の電子機器は、第１の表示素子と、第１の表示素子の厚みよりも薄い第２の表示素子と、第１の表示素子および第２の表示素子のうち少なくとも一方の表示素子に隣接する領域に配置され、特定の情報を入力するための情報入力手段と、第１の表示素子の配置領域以外の領域に配置され、第２の表示素子および情報入力手段が実装された基板とを有することを特徴とする。
【発明の効果】
【０００７】
本発明によれば、第１の表示素子および第２の表示素子のうち少なくとも一方の表示素子に隣接する領域に情報入力手段を配置しているため、表示素子および情報入力手段を特定の領域にまとめて配置することができ、表示素子および情報入力手段を別々の領域に配置する場合に比べて電子機器の小型化を図ることが可能となる。
【０００８】
ここで、第１の表示素子および第２の表示素子を互いに隣接する領域に配置すれば、第１及び第２の表示素子と情報入力手段をひとつの領域に集約して配置することができ、電子機器の更なる小型化を図ることができる。
【０００９】
しかも、第１の表示素子又は第２の表示素子に、情報入力手段によって入力された情報を表示させる構成とすれば、表示素子に表示された情報を見ながら情報入力手段によって情報を入力することができ、電子機器の操作性を向上させることができる。
【００１０】
また、第２の表示素子および情報入力手段を１つの基板に実装することで、この基板を他の基板（例えば、制御用の主基板）に接続する構成としたときに、第２の表示素子及び情報入力手段それぞれを実装する複数の基板を設けた場合（従来例）に比べて、他の基板における接続箇所を少なくすることができる。これにより、他の基板の面積の増大による電子機器の大型化を防止することができるとともに、接続箇所の増加によるコストアップを抑えることができる。
【００１１】
そして、第２の表示素子および情報入力手段が実装された基板を、第２の表示素子よりも厚い第１の表示素子の配置領域以外の領域に配置したことで、第２の表示素子の厚みおよび基板の厚みの和を第１の表示素子の厚み内に抑えることができる。これにより、第１の表示素子および第２の表示素子の表示面を同一面内とすることができ、電子機器の外観を見栄えの良いものとすることができる。
【００１２】
また、基板を硬質基板とすれば、情報入力手段を、例えば押圧式のスイッチとしたときに、スイッチの押圧力により基板が変形するのを防ぐために基板を支える支持部材を設ける必要がなくなり、電子機器の小型化および低コスト化を図ることができる。
【００１３】
基板のうち第２の表示素子および情報入力手段が実装された面とは反対側の面に、電気素子を実装するようにすれば、上記の電気素子を他の基板に実装する場合に比べて、１つの基板に対する実装効率を高めて、基板の数を減らすことができるため、電子機器の小型化および低コスト化を図ることができる。
【００１４】
ここで、第１の表示素子を機器本体の一方の外装面に沿って配置し、第２の表示素子を一方の外装面に対して対向する他方の外装面に沿って配置すれば、第２の表示素子の実装領域に対して対向する基板面に他の電気素子を実装することができる。
【発明を実施するための最良の形態】
【００１５】
以下に、本発明の実施例について説明する。
【実施例１】
【００１６】
本発明の実施例１であるカメラシステムについて説明する。図１および図２は、本実施例のカメラシステムにおける内部構造を示す断面図である。
【００１７】
本実施例のカメラシステムは、カメラ本体（電子機器）１と、カメラ本体１に着脱可能に装着されたレンズ装置９とで構成されている。レンズ装置９をカメラ本体１に装着することで、レンズ装置９およびカメラ本体１間においてデータの通信を行うことができるようになっている。
【００１８】
レンズ装置９内には、複数のレンズ群で構成された撮影光学系と、光通過口の開口面積を変化させることで像面に入射する被写体光の光量を調節する絞りユニット１３とが配置されている。ここで、複数のレンズ群のうち少なくとも一部が光軸方向に移動することで撮影光学系のズーミングおよびフォーカシングが行われる。
【００１９】
カメラ本体１内に設けられたメインミラー８は、不図示の駆動機構によって撮影光路上に斜設されたり（図１）、撮影光路から退避したりする（図２）。
【００２０】
ここで、メインミラー８が撮影光路上に斜設されている場合（図１）において、レンズ装置９内のレンズ群を透過した被写体光束は、この一部がメインミラー８で反射して、焦点板、ペンタプリズムおよび接眼レンズ２３等で構成されるファインダー光学系１１に導かれる。これにより、撮影者は、接眼レンズ２３を覗くことにより被写体像を観察することができる。
【００２１】
また、被写体光束のうち残りの光束は、ハーフミラーで構成されているメインミラー８を透過し、メインミラー８の背面に設けられたサブミラー７で反射することによってカメラ本体１の下部に配置された焦点検出ユニット１０へと導かれる。焦点検出ユニット１０では、サブミラー７から導かれた被写体光束を受光して、公知の位相差検出方式により撮影光学系の焦点調節状態を検出する。この検出結果に基づいて、撮影光学系の焦点調節動作が行われる。
【００２２】
一方、メインミラー８が撮影光路から退避している場合（図２）には、レンズ装置９内のレンズ群を透過した被写体光束が像面側に向かうようになっている。
【００２３】
シャッタユニット４は、アパーチャ（開口部）が形成されたシャッタ地板と、複数の遮光部材で構成された先幕５および後幕６とを有している。先幕５および後幕６は、アパーチャを開閉することにより、像面に入射する被写体光を制限する。
【００２４】
カメラシステムが非撮影状態（図１）にあるときには、先幕５が展開してアパーチャを閉じているとともに、後幕６が重畳している。また、非撮影状態から撮影状態（図２）に移行したときには、展開状態にある先幕５が重畳し始めるとともに、重畳状態にある後幕６が展開し始める。
【００２５】
シャッタユニット４の後方（像面側）には、光学ローパスフィルターおよび赤外線カットフィルターを一体化した光学フィルタ３が配置されている。そして、光学フィルタ３の後方には、ＣＣＤやＣＭＯＳイメージセンサ等の撮像素子２が配置されている。
【００２６】
シャッタユニット４の先幕５及び後幕６の走行によってアパーチャを通過した被写体光束は、光学フィルタ３を透過して撮像素子２で受光される。撮像素子２は、受光した光（光学像）を電気信号（画像データ）に変換する。不図示の電荷読み出し回路は、撮像素子２で変換された電気信号を撮像素子２の水平ライン毎に走査読み出しを行う。
【００２７】
そして、所定時間（露光時間）経過後には、先幕５が重畳するとともに、後幕６が展開することでシャッタユニット４のアパーチャを覆う。撮影終了後、先幕５および後幕６は、撮影開始前の状態に戻る。
【００２８】
図３および図４は、本実施例におけるカメラシステムの正面図および背面図である。
【００２９】
カメラ本体１の前面側には、図３に示すように、撮影準備動作（焦点調節動作および測光動作等）および撮影動作（撮像素子２による撮像）を開始させるために操作されるレリーズボタン３１が設けられている。カメラ本体１の背面には、図４に示すように、ＴＦＴ（Thin Film Transistor）表示素子（第１の表示素子）２１およびＬＣＤ（Liquid Crystal Display）表示素子（第２の表示素子）２２が、カメラ本体１の上下方向において並んで配置されている。
【００３０】
ＴＦＴ表示素子２１には、撮像素子２によって撮像された撮影画像が表示され、撮影者はカメラシステムの外部から撮影画像を確認することができる。また、ＬＣＤ表示素子２２には、カメラシステムで設定された各種の情報（例えば、絞り値およびシャッタ速度といった撮影情報）が表示され、撮影者はカメラシステムで設定されている情報を視認することができる。
【００３１】
ＴＦＴ表示素子２１およびＬＣＤ表示素子２２の表示窓を構成する透光部材たる外装パネル２３は、カメラ本体１の背面に接着または溶着等により固定されており、カメラ本体１の外装を構成している。外装パネル２３の表面には、遮光用塗料膜が、例えばインモールド成形によって射出成形されている。
【００３２】
ＴＦＴ表示素子２１及びＬＣＤ表示素子２２の近傍であって、これらの表示素子２１、２２に対してカメラ本体１の左右方向（図４の左右方向）には、複数のボタンスイッチ２４が配置されている。
【００３３】
これらのボタンスイッチ２４は、ＴＦＴ表示素子２１に表示される撮影画像の内容の変更（例えば、表示された撮影画像の拡大や撮影画像の切り替え）や、ＬＣＤ表示素子２２に表示される設定情報を変更等するために操作されるスイッチである。
【００３４】
撮影を行うとき、撮影者はＬＣＤ表示素子２２に表示された設定情報を確認した後、接眼レンズ２３を覗くことで被写体の構図を決定する。そして、カメラ本体１の前面側に設けられたレリーズボタン３１を操作することで撮影を行うことができる。撮影終了後には、撮影した画像がＴＦＴ表示素子２１に表示され、撮影画像の確認を行うことができる。
【００３５】
図５は、本実施例のカメラシステムにおける回路構成を示すブロック図である。
【００３６】
同図において、ＣＰＵ３１３に接続されたコントロール回路３０９は、レンズ装置９内に配置されたレンズ駆動ユニット３０８および絞り駆動ユニット３０７を介してレンズ群および絞りユニット１３の駆動を制御する。また、コントロール回路３０９は、撮像素子２への露光を制御するシャッタユニット４の駆動を制御する。
【００３７】
ここで、絞りユニット１３およびシャッタユニット４の駆動に必要な情報（絞り値およびシャッタ速度等）は、被写体輝度を検出するための測光ユニット３１１の出力に基づいてＣＰＵ３１３で演算され、コントロール回路３０９に送られる。また、レンズ群の駆動に必要な情報（焦点調節情報等）は、焦点検出ユニット１０の出力に基づいてＣＰＵ３１３で演算され、コントロール回路３０９に送られる。
【００３８】
撮像素子２から読み出された画像データは、アナログ信号処理回路３０２を介して、Ａ／Ｄ変換器３０３に送られる。Ａ／Ｄ変換器３０３では、撮像素子２でアナログ信号として得られた画像データをデジタル信号に変換する。この変換された画像データは、メイン信号処理回路３０４を介してメモリ３０５に送られる。ここで、メモリ３０５で記憶された画像データは、圧縮／解凍回路３１４によりＪＰＧ方式などの任意の圧縮方式により圧縮された後、カメラ本体１に着脱可能に装着されるメモリーカード３１５に記録される。
【００３９】
また、メモリ３０５に記憶された画像データは、Ｄ／Ａ変換器３０６で再びアナログ信号に変換された後、ＴＦＴ表示素子２１に送られ、撮影画像として表示される。メモリーカード１３５に記録されている画像データは、圧縮／解凍回路３１４及びＤ／Ａ変換器３０６を介して読み出され、ＴＦＴ表示素子２１に表示される。これにより、メモリーカード１３５に記録され、過去に撮影した画像データを確認することができる。
【００４０】
ＬＣＤ表示素子２２は、ＣＰＵ３１３の制御によりカメラシステムで設定された各種の情報を表示する。レリーズボタン３１およびボタンスイッチ２４を含むボタンスイッチ３１７のスイッチ信号はＣＰＵ３１３に入力され、ＣＰＵ３１３は入力されたスイッチ信号に応じた動作を行う。
【００４１】
図６は、カメラ本体１の背面側における内部構造を示す図である。ここで、図６（Ａ）、（Ｂ）は、上記の内部構造の正面図および側面図である。
【００４２】
カメラ本体１の背面には、各種電気部品が実装された硬質基板であるプリント配線基板１０２が配置されている。
【００４３】
プリント配線基板１０２は、ＴＦＴ表示素子２１の配置領域を避けるようにして略コの字状に形成されており、カメラ本体１の横方向（図６の左右方向）に延びる領域にはＬＣＤ表示素子２２が実装されている。また、プリント配線基板１０２のうちＴＦＴ表示素子２１およびＬＣＤ表示素子２２の左右に位置する領域には、複数のタクトスイッチ（情報入力手段）１０１が配置されている。これらのタクトスイッチ１０１は、カメラ本体１の背面に設けられた複数のボタンスイッチ２４に対応して設けられている。
【００４４】
板バネ１０３は、この長手直交方向における断面が略コの字状に形成されており、互いに向かい合う２つの側面により不図示の異方性導電ゴムを介してＬＣＤ表示素子２２を挟み込んでいる。これにより、ＬＣＤ表示素子２２は、プリント配線基板１０２に固定されることになる。ここで、ＬＣＤ表示素子２２は、上記の異方性導電ゴムと共にＬＣＤ表示素子保持枠１０４に保持されている。
【００４５】
タクトスイッチ１０１は、プリント配線基板１０２に半田付け等により電気的に接続されており、ボタンスイッチ２４の操作に応じた信号をプリント配線基板１０２上の配線に伝達する。
【００４６】
ＴＦＴ表示素子２１は、不図示のフレキシブルプリント基板（ＦＰＣ）を介してカメラ本体１の内部に配置された不図示のプリント配線基板（プリント配線基板１０２とは異なる基板）に接続されており、このプリント配線基板にはＴＦＴ表示素子２１を駆動するＣＰＵ３１３が実装されている。
【００４７】
プリント配線基板１０２の裏面（図６に示す面とは反対側の面）における一側縁部には、不図示のストレート状端子電極部が設けられており、不図示のＦＰＣに設けられた端子電極部と接続される。また、このＦＰＣは、ＬＣＤ表示素子２２を駆動するＣＰＵ３１３が実装されているプリント配線基板に、端子電極部を介して電気的に接続されている。
【００４８】
本実施例によれば、図４および図６に示すように、ＴＦＴ表示素子２１及びＬＣＤ表示素子２２の近傍に複数のボタンスイッチ２４（タクトスイッチ１０１）を配置しているため、カメラ本体１の背面のうち表示素子２１、２２およびボタンスイッチ２４を所定の領域にまとめて配置することができ、カメラ本体１の小型化を図ることができる。
【００４９】
また、ＬＣＤ表示素子２２およびタクトスイッチ１０１を１つのプリント配線基板１０２に実装し、このプリント配線基板１０２をＣＰＵ３１３が実装されたプリント配線基板に接続しているため、ＬＣＤ表示素子２２およびタクトスイッチ１０１のそれぞれを実装する複数のプリント配線基板をＣＰＵ３１３が実装されたプリント配線基板に接続する場合に比べて、ＣＰＵ３１３が実装されたプリント配線基板における接続電極の数を少なくすることができる。これにより、ＣＰＵ３１３が実装されたプリント配線基板の面積を小さくでき、カメラ本体１の小型化および低コスト化を図ることができる。
【００５０】
しかも、ボタンスイッチ２４の操作によって入力される情報がＬＣＤ表示素子２２に表示されるため、ボタンスイッチ２４を操作しながらＬＣＤ表示素子２２の表示内容を確認することができ、カメラシステムの操作性を向上させることができる。
【００５１】
プリント配線基板１０２は、ＬＣＤ表示素子２２に比べて厚みのあるＴＦＴ表示素子２１の配置領域を避けた形状（切り欠いた形状）に形成されているため、図６（Ｂ）に示すように、ＬＣＤ表示素子２２およびプリント配線基板１０２を含めた厚みを、ＴＦＴ表示素子２１の厚み内に抑えることができる。これにより、ＬＣＤ表示素子２２およびＴＦＴ表示素子２１の表示面を同一面内に配置して、カメラ本体１の背面（外装面）を平坦にすることができ、カメラ本体１の外観を見栄えの良いものとすることができる。
【００５２】
また、カメラ本体１の背面に配置されたプリント配線基板１０２を硬質基板とし、このプリント配線基板１０２にタクトスイッチ１０１を設けているため、ボタンスイッチ２４が押圧操作されたときに、プリント配線基板１０２の変形を防ぐための支持部材をカメラ本体１内に別途設ける必要がなくなり、カメラ本体１の小型化および低コスト化を図ることができる。
【００５３】
プリント配線基板１０２の一方の面にＬＣＤ表示素子２２およびタクトスイッチ１０１を実装することで、他方の面に広い実装面積を必要とする部品を実装することができ、基板の実装効率を高めて、安価な構造とすることができる。
【００５４】
なお、本実施例では、カメラシステムについて説明したが、レンズ装置及びカメラ本体が一体的に構成されたデジタルスチルカメラや、ビデオカメラ等についても適用することができる。
【実施例２】
【００５５】
本発明の実施例２である携帯型電子機器（例えば、携帯電話）について説明する。図７は、本実施例である携帯型電子機器の正面図（Ａ）および背面図（Ｂ）を示す。
【００５６】
機器本体４０１の前面には、図７（Ａ）に示すように、第１のＴＦＴ表示素子４０２が配置されており、機器本体４０１の背面に取り付けられた撮像センサ４０５によって撮像された画像を表示する。機器本体４０１の前面であって、第１のＴＦＴ表示素子４０２に隣接した領域には、複数のボタンスイッチ（情報入力手段）４０４が配置されており、これらのボタンスイッチ４０４は、第１のＴＦＴ表示素子４０２に表示された画像の選択やメニュー項目の選択及び設定などを行うために操作されるスイッチである。
【００５７】
機器本体４０１の背面のうち第１の表示素子４０２と対向する領域外の領域には、第２のＴＦＴ表示素子４０３が配置されている。第２のＴＦＴ表示素子４０３には、第１のＴＦＴ表示素子４０２と同様に、撮像センサ４０５によって撮像された画像が表示される。
【００５８】
ここで、撮影者は、第２のＴＦＴ表示素子４０３に表示された画像を観察することで撮影者本人を被写体として確認して、撮影を行うことができる。
【００５９】
機器本体４０１の前面には、ボタン操作音、着信音や通話先の音声等を発するスピーカ４０６と、音声を入力するためのマイク４０７とが配置されている。また、機器本体４０１の前面には、各種の情報（通話先の電話番号や携帯型電子機器に設けられた各種の機能設定）を入力するために操作されるスイッチ４０８が配置されている。
【００６０】
本実施例において、ボタンスイッチ４０４と電気的に接続される基板４０９は、図７の点線で示すように、第１のＴＦＴ表示素子４０２の配置領域を避けるような形状に形成されている。これにより、第１のＴＦＴ表示素子４０２を携帯型電子機器の内側に寄せて配置することができ、携帯型電子機器の薄型化を図ることができる。
【００６１】
また、基板４０９の裏面（ボタンスイッチ４０４が実装される面とは反対側の面）には、第２のＴＦＴ表示素子４０３が電気的に接続されている。
【００６２】
この基板４０９は、携帯型電子機器内に設けられ、制御用のＣＰＵが実装された基板（不図示）に電気的に接続されている。また、第１のＴＦＴ表示素子４０２がＦＰＣを介して上記のＣＰＵが実装された基板に接続されている。このような構成により、実施例１と同様に、ＣＰＵが実装された基板における接続電極の数を少なくすることができ、携帯型電子機器の小型化および低コスト化を図ることができる。
【００６３】
本実施例によれば、携帯型電子機器に各種の情報を入力するための複数のボタンスイッチ４０４を、第１のＴＦＴ表示素子４０２の周辺領域にまとめて配置することで、携帯型電子機器の小型化を図ることができる。
【００６４】
また、基板４０９のうちＴＦＴ表示素子４０３が実装された面とは反対側の面において、広い実装面積を確保することができるため、この面にスピーカ４０６などの電気素子を実装することで、基板４０９の実装効率を高めることができる。
【００６５】
ここで、第２のＴＦＴ表示素子に代えてＬＣＤ表示素子を用いることもできる。
【図面の簡単な説明】
【００６６】
【図１】実施例１のカメラシステムにおける中央断面図（非撮影状態）である。
【図２】実施例１のカメラシステムにおける中央断面図（撮影状態）である。
【図３】実施例１のカメラシステムの正面図である。
【図４】実施例１のカメラシステムの背面図である。
【図５】実施例１のカメラシステムの回路構成を示すブロック図である。
【図６（Ａ）】実施例１のカメラ本体の背面における内部構造を示す正面図である。
【図６（Ｂ）】実施例１のカメラ本体の背面における内部構造を示す側面図である。
【図７（Ａ）】実施例２の携帯型電子機器の正面図である。
【図７（Ｂ）】実施例２の携帯型電子機器の背面図である。
【符号の説明】
【００６７】
１  カメラ本体
２  撮像素子
３  光学フィルタ
４  シャッタユニット
５  先幕
６  後幕
７  サブミラー
８  メインミラー
９  レンズ装置
１０  焦点検出ユニット
１１  ファインダー光学系
１３  絞りユニット
２１  ＴＦＴ表示素子
２２  ＬＣＤ表示素子
２３  外装パネル
２４  ボタンスイッチ
３１  レリーズボタン
１０１  タクトスイッチ
１０２  プリント配線基板
１０３  板バネ
１０４  保持枠
４０１  機器本体
４０２  第１のＴＦＴ表示素子
４０３  第２のＴＦＴ表示素子
４０４  ボタンスイッチ
４０５  撮像センサ
４０６  スピーカ
４０７  マイク
４０８  スイッチ
４０９  基板
【図１】
2005065030.tif 000003
【図２】
2005065030.tif 000004
【図３】
2005065030.tif 000005
【図４】
2005065030.tif 000006
【図５】
2005065030.tif 000007
【図６（Ａ）】
2005065030.tif 000008
【図６（Ｂ）】
2005065030.tif 000009
【図７（Ａ）】
2005065030.tif 000010
【図７（Ｂ）】
2005065030.tif 000011